(57)【要約】【課題】施工性が良好な貯湯式給湯機を得ること。【解決手段】熱源機（ヒートポンプユニット１）により湯を沸き上げて外装ケース７０内の貯湯タンク１０に貯え、給湯時には、貯湯タンクに貯えられた湯を給湯管路５０により所定の給湯先に供給し、水抜き時には、貯湯タンクに接続された水抜き用管路６０を通じて貯湯タンク内の湯水を排水溝１２０に排出する貯湯式給湯機１００を構成するにあたり、漏水を受けるドレンパン６３を外装ケースの下部に配置し、ドレンパンには、該ドレンパンを貫通する排水部７５を設けると共に該ドレンパンが受けた漏水を排出する排水ホース８０を接続し、水抜き用管路は排水部に接続し、排水ホースは位置合わせ用ガイド部が設けられたホース固定具８５に保持させて排水部に固定する。【選択図】        図１
2010249450.tif 000002
【特許請求の範囲】
【請求項１】
ホースの相対位置を定めるうえで基準となる第１基準物に固定されて前記ホースを保持する台座部と、
該台座部に連設され、該台座部よりも前記ホースの上流側を保持するホース受け部と、
前記台座部に設けられて前記ホースからの液体の流出方向に延在し、前記ホースの相対位置を定めるうえで他の基準となる第２基準物に対する前記ホースの水平方向および垂直方向の位置合わせの目安となる位置合わせ用ガイド部と、
を有することを特徴とするホース固定具。
【請求項２】
熱源機により湯を沸き上げて外装ケース内の貯湯タンクに貯え、給湯時には、前記貯湯タンクに貯えられた湯を給湯管路により所定の給湯先に供給し、水抜き時には、前記貯湯タンクに接続された水抜き用管路を通じて前記貯湯タンク内の湯水を排水溝に排出する貯湯式給湯機であって、
前記外装ケースの下部に配置されて漏水を受けるドレンパンと、
該ドレンパンに設けられて該ドレンパンを貫通し、上端側に前記水抜き用管路が接続される排水部と、
前記ドレンパンに接続され、該ドレンパンが受けた漏水を前記排水溝に排出する排水ホースと、
台座部およびホース受け部により前記排水ホースを保持し、前記台座部が前記排水部に固定されて前記排水ホースを前記排水溝の上方の所定位置に固定する請求項１に記載のホース固定具と、
を有することを特徴とする貯湯式給湯機。
【請求項３】
前記ホース固定具は、前記台座部と前記ホース受け部との位置関係が、前記排水ホースを腰折れさせることなく該排水ホースを前記ホース受け部と前記台座部との間で曲げることができるように選定されていることを特徴とする請求項２に記載の貯湯式給湯機。
【発明の詳細な説明】
【技術分野】
【０００１】
本発明は、ホースを固定するホース固定具および該ホース固定具を用いた貯湯式給湯機に関するものである。
【背景技術】
【０００２】
電気ヒータやヒートポンプ等の熱源機で湯を沸き上げて貯湯タンクに貯え、該貯湯タンクに接続された給湯管路により貯湯タンク内の湯を所望の給湯先に供給するように構成された貯湯式給湯機では、一般に、貯湯タンクの機械的保護や保温性（断熱性）の向上を図るために、貯湯タンクが外装ケースに収容される。そして、多くの外装ケースでは、貯湯タンクや配管接続部等からの漏水に備えて底部にドレンパンとしての機能が付与され、当該底部（以下、「ドレンパン」という）が受けた漏水は排水管（以下、「ドレン管」という）を通じて排水溝に排出される。貯湯タンクが設置される地表面あるいは床面の下には、ドレンパンが受けた漏水や貯湯タンク内を水抜きする際に湯水の排出流路となる排水溝が予め設けられる。
【０００３】
上記の排水溝に排出されるべき湯水が外装ケース内に逆流してしまうのを防止する等の観点から、貯湯式給湯機では、必要に応じて、ドレン管や他の管路、例えば貯湯タンク内を水抜きするための水抜き用管路での流出口と排水溝での流入口とを互いに離隔させて、これら流出口と流入口との間に空間（以下、「吐出口空間」という）を形成している。
【０００４】
例えば特許文献１の第３図に示された排水構造では、ドレンパンが受けた漏水を排出するための排出管と排水溝との間の吐出空間はドレンパンの下方に形成し、貯湯タンクの水抜き用管路と排水溝との間の吐出空間はドレンパンの上方から当該ドレンパンの排出穴を通って排水溝に達するように形成している。また、特許文献１の発明の貯湯式給湯機（電気温水器）では、ドレンパンに設けた排出穴部の上方に水抜き用管路での流出口を位置させて吐出空間を形成し、排出穴部と排水溝とを排水管で繋いでいる。ドレンパンが受けた漏水を排出するための専用のドレン管はなく、当該漏水は上記の排出穴部に流れ込む。
【先行技術文献】
【特許文献】
【０００５】
【特許文献１】特開平１０−３２５６１６号公報
【発明の概要】
【発明が解決しようとする課題】
【０００６】
排水時の静音化を図るという観点からはドレンパンより下方にのみ吐出空間を形成することが望ましく、ドレンパンより下方にのみ吐出空間を形成するうえからは、ドレンパンが受けた漏水を排出するためのドレン管と貯湯タンク内を水抜きするための水抜き用管路とを別個に設けることが好ましいが、ドレンパンと外装ケースの設置面（地表面または床面）との間の間隔は比較的狭い。
【０００７】
このため、上記のドレン管と水抜き用管路とを別個に設けてこれらと排水溝との間の吐出空間をドレンパンより下方に形成しようとすると、ドレン管および水抜き用管路それぞれの流出口と排水溝の流入口とを位置合わせするための作業がし難くなって施工性が低下する。ドレン管として可撓性を有するもの、例えば排水ホースを用いることにより、該排水ホースの流出口を排水溝の上方にまで引き出し易くなるが、腰折れを起こさないようにして排水ホースを曲げてその流出口を排水溝の流入口の上方に位置させるという作業を狭い空間内で行うことは難しい。
【０００８】
本発明は上記の事情に鑑みてなされたものであり、ホースを所定箇所に設置し易くするホース固定具、および施工性が良好な貯湯式給湯機を得ることを目的とする。
【課題を解決するための手段】
【０００９】
本発明のホース固定具は、ホースの相対位置を定めるうえで基準となる第１基準物に固定されてホースを保持する台座部と、台座部に連設され、該台座部よりもホースの上流側を保持するホース受け部と、台座部に設けられてホースからの液体の流出方向に延在し、ホースの相対位置を定めるうえで他の基準となる第２基準物に対するホースの水平方向および垂直方向の位置合わせの目安となる位置合わせ用ガイド部とを有することを特徴とする。
【００１０】
本発明の貯湯式給湯機は、熱源機により湯を沸き上げて外装ケース内の貯湯タンクに貯え、給湯時には、貯湯タンクに貯えられた湯を給湯管路により所定の給湯先に供給し、水抜き時には、貯湯タンクに接続された水抜き用管路を通じて貯湯タンク内の湯水を排水溝に排出する貯湯式給湯機であって、外装ケースの下部に配置されて漏水を受けるドレンパンと、ドレンパンに設けられて該ドレンパンを貫通し、上端側に水抜き用管路が接続される排水部と、ドレンパンに接続され、該ドレンパンが受けた漏水を排水溝に排出する排水ホースと、台座部およびホース受け部により排水ホースを保持し、台座部が排水部に固定されて排水ホースを排水溝の上方の所定位置に固定する上記本発明のホース固定具とを有することを特徴とする。
【発明の効果】
【００１１】
本発明の貯湯式給湯機では、外装ケースの下部に配置されるドレンパンに排水部を設けると共に当該ドレンパンに排水ホースを接続し、該排水ホースは本発明のホース固定具により排水管部に固定するので、排水部に対する排水ホースの相対位置を決め易い。また、排水ホースからの水の流出方向に延在する位置合わせ用ガイド部がホース固定具に設けられているので、排水部および排水ホースの各々と排水溝との間に吐出空間を形成する際に、排水部および排水ホースそれぞれの流出口を排水溝に対して所定の位置に合わせ易い。したがって、本発明によれば施工性が良好な貯湯式給湯機が得られる。
【図面の簡単な説明】
【００１２】
【図１】図１は、本発明の貯湯式給湯機の一例を示す概略図である。
【図２】図２は、図１に示した貯湯式給湯機で用いられているホース固定具およびその周辺を拡大して示す概略図である。
【図３】図３は、図１に示した貯湯式給湯機でのホース固定具を概略的に示す斜視図である。
【図４】図４は、図３に示したホース固定具での台座部および位置合わせ用ガイド部を概略的に示す斜視図である。
【図５】図５は、図３に示したホース固定具でのホース受け部を概略的に示す斜視図である。
【発明を実施するための形態】
【００１３】
以下、本発明のホース固定具および貯湯式給湯機それぞれの実施の形態について、図面を参照して詳細に説明する。なお、本発明は下記の形態に限定されるものではない。
【００１４】
図１は、本発明の貯湯式給湯機の一例を示す概略図である。同図に示す貯湯式給湯機１００は、ヒートポンプユニット１、タンクユニット９０、および図示を省略したリモートコントローラを有し、ヒートポンプユニット１で沸き上げた湯をタンクユニット９０中の貯湯タンク１０に一旦貯え、ここから所定の給湯先に供給する。以下、貯湯式給湯機１００の各構成要素について説明する。
【００１５】
上記のヒートポンプユニット１は冷凍サイクル部（図示せず）を有し、水を湯に沸き上げる熱源機として機能する。上記の冷凍サイクル部での放熱器が沸上げ用熱交換器として機能して、後述する沸上げ用循環管路３０から供給される水を湯に沸き上げる。
【００１６】
一方、タンクユニット９０は、貯湯タンク１０、給水管路２０、沸上げ用循環管路３０、圧力逃し用管路４０、給湯管路５０、水抜き用管路６０、外装ケース７０、排水部７５、エルボ管７７、排水ホース８０、本発明のホース固定具の一例に相当するホース固定具８５、制御装置（図示せず）等を有している。
【００１７】
上記の貯湯タンク１０は、給水管路２０から供給される水を貯えると共にヒートポンプユニット１で沸き上げられた湯を貯える積層式の貯湯タンクであり、その下部には給水管路２０、沸上げ用循環管路３０の往き管３０ａ、および水抜き用管路６０の各々が、また上部には沸上げ用循環管路３０の戻り管３０ｂ、圧力逃し用管路４０、および給湯管路５０の各々が接続されている。この貯湯タンク１０は給水管路２０からの給水により常時満水状態に保たれ、貯湯タンク１０内の湯水には給水管路２０から常時送水圧が付与される。貯湯タンク１０内の湯水の温度を検出するために、貯湯タンク１０には複数の温度センサ（図示せず）が互いに異なる取付け高さをもって取り付けられている。
【００１８】
給水管路２０は、減圧弁１５を有する管路であり、水道等の水源（図示せず）に接続されて該水源から供給される水の圧力を減圧弁１５により一定の水圧に調整して貯湯タンク１０に供給する。
【００１９】
沸上げ用循環管路３０は、貯湯タンク１０の下部からヒートポンプユニット１中の放熱器（沸上げ用熱交換器）を経由して貯湯タンク１０の上部に達する管路であり、循環ポンプ２５が設けられた往き管３０ａと、戻り管３０ｂとを有している。往き管３０ａは貯湯タンク１０の下部と沸上げ用熱交換器とを繋ぎ、戻り管３０ｂは沸上げ用熱交換器と貯湯タンク１０の上部とを繋ぐ。
【００２０】
圧力逃し用管路４０は、貯湯タンク１０の内圧が所定値以上になると開弁する圧力逃し弁３５が設けられた管路であり、湯の沸上げに伴う貯湯タンク１０内の湯水の体積膨張により生じた余剰水（膨張水）を排出して貯湯タンク１０の内圧過上昇を防止する。この圧力逃し用管路４０の一端は貯湯タンク１０の上部に接続され、他端は外装ケース７０の外部に引き出されている。
【００２１】
給湯管路５０は、貯湯タンク１０の上部と所定の給湯先、例えば台所のカランや浴槽等とを繋ぐ。図示の給湯管路５０には、給湯弁４５や図示を省略した流量センサ等が設けられている。上記の流量センサにより所定値以上の水流が検出されると、給湯弁４５の開度が制御装置（図示せず）により調整される。
【００２２】
水抜き用管路６０は、貯湯タンク１０内を水抜きするための管路であり、当該水抜き用管路６０には手動式または電動式の排水栓５５が設けられている。この水抜き用管路６０の一端は貯湯タンク１０の下部に接続されており、他端は後述する排水部７５に接続されている。
【００２３】
外装ケース７０は、ドレンパン６３、ケーシング部６５、および複数本の支持脚６７を有している。ドレンパン６３は、外装ケース７０での下部に配置されて、貯湯タンク１０や各管路２０，３０，４０，５０，６０での配管接続部等からの漏水を受ける。ケーシング部６５は一端側が開口した箱体であり、開口端側でドレンパン６３と係合して、該ドレンパン６３と共に貯湯タンク１０の収容空間を画定する。各支持脚６７は、ドレンパン６３の下面に取り付けられて、当該ドレンパン６３およびケーシング部６５の各々を予め設けられた土台Ｂの上方に支持する。図１には２本の支持脚６７，６７が現れている。
【００２４】
排水部７５は、ドレンパン６３に設けられて該ドレンパン６３を貫通する筒状体であり、その上端側には水抜き用管路６０が接続されている。エルボ管７７は、ドレンパン６３に排水ホース８０を接続する継手であり、その一端はドレンパン６３での排水口（図示せず）に接続され、他端には排水ホース８０が接続される。
【００２５】
排水ホース８０は、ドレンパン６３が受けた漏水を排水溝１２０に排出するためのドレン管であり、上記のエルボ管７７によりドレンパン６３に接続される。ホース固定具８５は、上記の排水部７５に固定されて排水ホース８０を所定位置に保持する。
【００２６】
図示を省略した制御装置は、ヒートポンプユニット１、循環ポンプ２５、および給湯弁４５に接続されて、これらの動作を制御する。具体的には、当該制御装置の入力装置として機能するリモートコントローラ（図示せず）からユーザが入力した沸上げ開始時刻、沸上げ温度等の情報や沸上げ運転開始指令等の指令、ならびに貯湯タンク１０に取り付けられた各温度センサ（図示せず）や給湯管路５０に設けられた流量センサ（図示せず）の検出結果等に基づいて、ヒートポンプユニット１、循環ポンプ２５、または給湯弁４５の動作を制御する。
【００２７】
図示を省略したリモートコントローラは、情報や指令を入力するための操作部と、該操作部から入力された情報や指令等を表示するための表示部とを有し、台所、浴室、あるいは居室等に設置される。このリモートコントローラは、上記の制御装置に有線接続または無線接続されて、該制御装置と通信する。
【００２８】
上述した各構成要素を有する貯湯式給湯機１００では、ユーザがリモートコントローラから入力した沸上げ開始時刻になると、あるいはユーザがリモートコントローラから沸上げ運転開始指令を入力すると、制御装置による制御の下にヒートポンプユニット１および循環ポンプ２５が起動されて沸上げ運転が開始される。この沸上げ運転は、貯湯タンク１０に設けられた温度センサ（図示せず）の検出温度から所定温度の湯が貯湯タンク１０に所定量貯えられたと制御装置が判断するまで継続される。この間、貯湯タンク１０の下部から沸上げ用循環管路３０に水が流入し、ヒートポンプユニット１で湯に沸き上げられた後に貯湯タンク１０の上部から該貯湯タンク１０に戻される。
【００２９】
また、ユーザが給湯先の給湯栓（図示せず）を開けて給湯管路５０に所定流量以上の水流が生じると、給湯管路５０に設けられた流量センサ（図示せず）によって当該水流が検出されて給湯運転が開始される。この給湯運転では、制御装置による制御の下に給湯弁４５の開度が調整される。
【００３０】
上述のように動作する貯湯式給湯機１００は、排水ホース８０の取付け形態に特徴を有しているので、以下、図２〜図５を参照して貯湯式給湯機１００での排水ホース８０の取付け形態について詳述する。
【００３１】
図２は、図１に示した貯湯式給湯機で用いられているホース固定具およびその周辺を拡大して示す概略図であり、図３は、図１に示した貯湯式給湯機でのホース固定具を概略的に示す斜視図である。また、図４は、図３に示したホース固定具での台座部および位置合わせ用ガイド部を概略的に示す斜視図であり、図５は、図３に示したホース固定具でのホース受け部を概略的に示す斜視図である。
【００３２】
図２に示すように、ホース固定具８５での台座部８１が固定される排水部７５は、ドレンパン６３に設けられて該ドレンパン６３を貫通する筒状のアダプタ部７１と、該アダプタ部７１に挿入された筒状の本体部７２と、該本体部７２に装着された筒状の先端流路部７３とを有している。上記のアダプタ部７１は、本体部７２を係止する複数の爪部７１ａを有し、これらの爪部７１ａにより本体部７２の向きを規制する。本体部７２は、該本体部７２での流出口側（排水溝１２０側）の外径がアダプタ部７１側の外径よりも小さくされた筒状体であり、先端流路部７３は当該本体部７２での流出口側に装着されている。
【００３３】
一方、ホース固定具８５は、排水部７５に固定されて排水ホース８０を保持する台座部８１と、該台座部８１に連設されて台座部８１よりも排水ホース８０の上流側を保持するホース受け部８２と、台座部８１に設けられて排水ホース８０からの液体の流出方向に延在する位置合わせ用ガイド部８３とを有している。
【００３４】
図３および図４に示すように、ホース固定具８５（図３参照）の台座部８１は、円筒の一部を該円筒の高さ方向の全長に亘ってスリット状に切り欠いた形状の台座本体８１ａ、該台座部本体８１ａと同形状のホース保持部８１ｂ、台座本体８１ａとホース保持部８１ｂとを一体化する平板状の連結部８１ｃ、およびホース保持部８１ｂの外周に設けられて該ホース保持部８１ｂの高さ方向に延在する２つの接続部８１ｄを有している。各接続部８１ｄは互いに間隔をあけて並設されており、個々の接続部８１ｄでの上端部には、ホース受け部８２を回動自在に保持するためのホース受け保持穴８１ｅが設けられている。
【００３５】
また、図３および図５に示すように、ホース固定具８５（図３参照）のホース受け部８２は、円筒の一部を該円筒の高さ方向の全長に亘ってスリット状に切り欠いた形状のホース受け本体８２ａと、該ホース受け本体８２ａの外周部に設けられて上記高さ方向に延在する平板状のホース受け固定部８２ｂと、該ホース受け固定部８２ｂの両面それぞれの長手方向端部に設けられて上記２つの接続部８１ｄ（図３および図４参照）のホース受け保持穴８１ｅに係合する計２つの凸部８２ｃ（図３および図５においては１つの凸部８２ｃのみが現れている）とを有している。このホース受け部８２は、各凸部８２ｃをホース受け保持穴８１ｅに挿入することで台座部８１（図３および図４参照）に回動自在に保持されている。ホース固定具８５では、ホース受け部８２での上記高さ方向がホース保持部８１ｂでの前述の高さ方向と略直交する。
【００３６】
ホース固定具８５の位置合わせ用ガイド部８３は、図３および図４に示すように板状を呈し、該位置合わせ用ガイド部８３は、ホース保持部８１ｂに設けられて該ホース保持部８１ｂの下端側に延在している。この位置合わせ用ガイド部８３の長さは、排水ホース８０と排水溝１２０（図２参照）との間に形成すべき吐出空間の高さに相当する長さよりも少し短い。
【００３７】
上述の構成を有するホース固定具８５は、台座本体８１ａを排水部７５での先端流路部７３の外周に装着することで排水部７５（図２参照）に固定される。台座本体８１ａは、先端流路部７３をその外周側からクランプする。また、排水ホース８０は、その流出口がホース保持部８１ｂの下端と略同じ高さ位置となるようにしてホース受け本体８２ａおよびホース保持部８１ｂに通されて、ホース固定具８５に保持される。
【００３８】
このとき、排水ホース８０での流出口側端部がその外周側からホース保持部８１ｂにクランプされ、排水ホース８０での流出口側端部よりも上流側の所定の領域がその外周側からホース受け本体８２ａにクランプされる。ホース保持部８１ｂとホース受け本体８２ａとは、排水ホース８０を腰折れさせることなく該排水ホース８０を略９０度曲げた状態で保持する。ホース保持部８１ｂとホース受け本体８２ａとの位置関係は、排水ホース８０を腰折れさせることなく該排水ホース８０をホース受け部８２と台座部８１との間で略９０度曲げることができるように選定されている。
【００３９】
このようにして排水ホース８０が固定される貯湯式給湯機１００では、ドレンパン６３に配置された排水部７５に水抜き用管路６０（図１参照）が接続されると共に、ホース固定具８５により排水ホース８０での流出口側が排水部７５に固定されるので、排水部７５に対する排水ホース８０の相対位置を決め易い。また、排水部７５および排水ホース８０の各々と排水溝１２０との間に吐出空間を形成して当該排水部７５および排水ホース８０を設置する際に、ホース固定具８５の位置合わせ用ガイド部８３が排水溝１２０に対する排水ホース８０の水平方向および垂直方向の位置合わせの目安になるので、排水部７５および排水ホース８０それぞれの流出口を排水溝１２０（図１または図２参照）の流入口に対して所定の位置に合わせ易い。
【００４０】
したがって、貯湯式給湯機１００は良好な施工性の下に設置し易い。また、ドレンパン６３が受けた漏水を排水ホース８０により排出するので、排水ホース８０に代えて剛性材料製のドレン管を用いる場合に比べ、貯湯式給湯機１００の軽量化を図り易い。さらには、廃棄のために貯湯式給湯機１００を分解する際の作業性が向上する。ドレンパン６３に設けられたに排水部７５は、排水ホース８０の相対位置を定めるうえで基準となる第１基準物に相当し、排水溝１２０は、排水ホース８０の相対位置を定めるうえで基準となる第２基準物に相当する。
【００４１】
以上、本発明のホース固定具および貯湯式給湯機の各々について実施の形態を挙げて説明したが、前述のように、本発明は上述の形態に限定されるものではない。本発明のホース固定具は、ホースの相対位置の基準となる第１基準物に固定されてホースを保持する台座部と、台座部に連設されて該台座部よりもホースの上流側を保持するホース受け部と、台座部に設けられてホースからの液体の流出方向に延在し、ホースの相対位置を定めるうえで他の基準となる第２基準物に対するホースの水平方向および垂直方向の位置合わせの目安となる位置合わせ用ガイド部とを有していれば基本的によく、台座部、ホース受け部、および位置合わせ用ガイド部それぞれの形状や構造は適宜選定可能である。
【００４２】
例えば、台座部を第１基準物に固定するための台座本体の形状は、第１基準物の形状に応じて種々変更可能であり、第１基準物として何を利用するかについても適宜選択可能である。貯湯式給湯機の施工性を良好にするという観点からは、ネジ等のジグを用いることなく台座部を第１基準物に固定できるように台座本体の形状および構造を選定することが好ましい。台座部は、台座本体とホース保持部とを互いに別体に作製した後に連結部により一体化させることで作製してもよいし、台座本体、ホース保持部、および連結部を合成樹脂等により一体成形してもよい。第１基準物の形状や、第１基準物に対するホースの相対位置によっては、上記の連結部を省略することも可能である。
【００４３】
台座部に設ける接続部および該接続部に接続されるホース受け部それぞれの形状および構造についても、適宜選定可能である。ホース受け部は、上記の接続部に回動不能に固定してもよい。位置合わせ用ガイド部は、台座部のホース保持部に設けてもよいし、台座本体に設けてもよい。この位置合わせ用ガイド部は、台座本体とは別体に作製した後に台座部に固定してもよい。例えば、台座部から吊り下げられた錘（下げ振り）により位置合わせ用ガイド部を構成することもできる。位置合わせ用ガイド部の長さは、ホースでの流出口の下方に形成すべき吐出空間の高さに応じて適宜選定することが好ましい。
【００４４】
また、本発明の貯湯式給湯機は、漏水を受けるドレンパンが外装ケースの下部に配置され、排水部がドレンパンに設けられて該ドレンパンを貫通し、水抜き用管路が排水部に接続され、ドレンパンが受けた漏水を排出する排水ホースがドレンパンに接続され、上記本発明のホース固定具が排水部に固定されて当該ホース固定具により排水ホースが所定位置に固定されているものであればよく、水抜き用管路および排水ホースそれぞれの固定に係る構成以外の構成は適宜選定可能である。
【００４５】
例えば、水を湯に沸き上げる熱源機としては、ガス燃焼装置や貯湯タンク内に配置された電熱ヒータ等を用いることもできる。また、給湯管路に湯水混合弁および温度センサを設け、温度センサの検出温度に基づいて湯水混合弁の開度を制御装置によりフィードバック制御して給湯先での出湯温度を調整するように構成してもよい。必要に応じて、貯湯タンクに貯えた湯を追焚き用熱交換器経由で貯湯タンクに戻す循環管路と、浴槽内の浴水を追焚き用熱交換器経由で浴槽に戻す循環管路とを設け、貯湯タンクに貯えた湯を熱源として用いて追焚き用熱交換器により浴水を再加熱することで浴水を追焚きする機能を付加することもできる。
【００４６】
また、圧力逃し用管路から上述の排水部に余剰水（膨張水）を排出することができるように、当該圧力逃し用管路の下流端を水抜き用管路での排水栓の下流側に合流させてもよいし、圧力逃し用管路の下流端を上述の排水部に接続してもよい。本発明の貯湯式給湯機については、上述したもの以外にも種々の変形、修飾、組み合わせ等が可能である。
【産業上の利用可能性】
【００４７】
本発明のホース固定具は、貯湯式給湯機のドレンパンが受けた漏水を排出するための排水ホースの固定に用いる場合に限らず、種々の用途のホースを所定位置に固定する場合に用いることができる。また、本発明の貯湯式給湯機は、家庭用または業務用の給湯機として好適に用いることができる。
【符号の説明】
【００４８】
１  ヒートポンプユニット
１０  貯湯タンク
２０  給水管路
３０  沸上げ用循環管路
４０  圧力逃し用管路
５０  給湯管路
６０  水抜き用管路
６３  ドレンパン
６５  ケーシング部
６７  支持脚
７０  外装ケース
７５  排水部（第１基準物）
８０  排水ホース
８１  台座部
８２  ホース受け部
８３  位置合わせ用ガイド部
８５  ホース固定具
９０  タンクユニット
１００  貯湯式給湯機
１２０  排水溝（第２基準物）
【図１】
2010249450.tif 000003
【図２】
2010249450.tif 000004
【図３】
2010249450.tif 000005
【図４】
2010249450.tif 000006
【図５】
2010249450.tif 000007